(57)【要約】【課題】インナケーブルと連結部材との長さを無段階に調整することができ、且つ長さの調整が容易で高精度なコントロールケーブル長さ調整装置を提供する。【解決手段】インナケーブル３の長手方向端部に取付けられたスライダ５をホルダ８の第１穴部９内に収納し、スライダ５を第１穴部９内でスライドさせて連結部材４とインナケーブル３の距離を調整し、断面台形の傾斜面１２が楔を構成するロックピース１１を第２穴部１０に挿入し、ロックピース１１をスライダ５の溝６内に収納すると、溝７の傾斜面７とロックピール１１の傾斜面１２の間に生じる摩擦力によってホルダ８内のスライダ５の位置が固定される。また、ホルダ８に設けられた梃子状のクランプ１６を回転すると、クランプ１６の押し込み部１８がロックピース１１をスライダ５の溝６内に押し込み、爪部１７をホルダ８に掛けて止めれば、クランプ１６がロックピース１１の抜け止めとなる。【選択図】図１
2013019455.tif 000002
【特許請求の範囲】
【請求項１】
アウタケーブル内にインナケーブルが収納されたコントロールケーブル長さ調整装置であって、
インナケーブルの長手方向端部に取り付けられるスライダと、
前記スライダに形成され前記インナケーブルの延長方向に延び且つ開口側から底側に向かうに連れてお互いの間隔が狭くなる一対の傾斜面を有する溝と、
前記スライダの溝に収納される先細りの断面を形成する一対の傾斜面を有するロックピースと、
前記インナケーブルの延長方向に延びて前記スライダをスライド可能に収納する第１穴部、前記第１穴部に連通するように形成され前記ロックピースが挿入される第２穴部、前記第１穴部に対して前記インナケーブルと反対側に配置される連結部材を備えたホルダとを備え、
前記ホルダの第１穴部にスライダを収納し前記ホルダの第２穴部にロックピースを挿入し前記スライダの溝の傾斜面にロックピースの傾斜面を接触させて当該溝内にロックピースを収納した場合に当該溝の傾斜面とロックピースの傾斜面との間に生じる摩擦力によってホルダ内のスライダの位置を固定するコントロールケーブル長さ調整装置。
【請求項２】
前記ホルダに設けられヒンジ部を中心に回転する梃子状のクランプと、
前記クランプに設けられ前記ホルダに掛けて止める爪部と、
前記クランプのヒンジ部と爪部との間に設けられ前記ロックピースをスライダの溝内に押し込む押し込み部とを備えた請求項１に記載のコントロールケーブル長さ調整装置。
【請求項３】
前記ロックピースは前記クランプにロックピース用ヒンジを介して取付けられた請求項２に記載のコントロールケーブル長さ調整装置。
【請求項４】
少なくとも前記連結部材と反対側の第２穴部の縁部に形成され前記スライダの溝内に収納されたロックピースのインナケーブル延長方向と直交する面が接触する堰部を備えた請求項１乃至３の何れか一項に記載のコントロールケーブル長さ調整装置。
【発明の詳細な説明】
【技術分野】
【０００１】
本発明は、車両に用いられるコントロールケーブル長さ調整装置に関し、例えば自動変速装置のセレクタなどの連結対象体に取付けて使用されるコントロールケーブルに好適なものである。
【背景技術】
【０００２】
例えば車両用セレクトケーブルなどのコントロールケーブルでは、例えばアウタケーブルに内装されたインナケーブルと連結対象体との長さを調整する必要が生じる。このようなコントロールケーブル長さ調整装置としては、例えば下記特許文献１や特許文献２に記載されるものがある。このうち、下記特許文献１に記載されるコントロールケーブル長さ調整装置は、アウタケーブルの端部位置を規制する取付部材と、その取付部材を取付けるブラケットとをボルトで固定する際、例えば取付部材側のボルト貫通穴をケーブルの長手方向に長い長穴とし、ボルトを緩めて取付部材を移動することでアウタケーブルの端部の位置を調整して相対的にアウタケーブルから突出しているインナケーブルの長さを調整し、調整後、ボルトを締め付けて取付部材をブラケットに固定し、インナケーブルの長さ（弛み、張力）調整を終了する。また、下記特許文献２に記載されるコントロールケーブル長さ調整装置は、断面が鋸歯のような凹凸が外周に長手（軸線）方向に等ピッチで形成された円筒部材をインナケーブルの長手方向端部に取付け、アイエンドなどの連結部材が取付けられた本体に円筒部材を差し込み、当該円筒部材の差し込み深さを調整することでインナケーブルと連結部材との間隔を調整してインナケーブルの長さを調整し、調整後、本体の円筒部材差し込み方向と交差方向に設けられた窓穴にキー部材を差し込む。キー部材には、前記円筒部材外周の凹凸に噛み合う等ピッチの凹凸が形成されており、キー部材が窓穴に固定されると円筒部材の凹凸とキー部材の凹凸とが噛み合って円筒部材が固定され、インナケーブルの長さ（連結長さ）調整を終了する。
【先行技術文献】
【特許文献】
【０００３】
【特許文献１】特開平６−２４９２２７号公報
【特許文献２】特開２００５−１７２２０３号公報
【発明の概要】
【発明が解決しようとする課題】
【０００４】
しかしながら、前記特許文献１に記載されるコントロールケーブル長さ調整装置では、インナケーブルの長さ調整後、ボルトを締め付けなければならず、精度の高い長さ調整には熟練を要する。また、前記特許文献２に記載されるコントロールケーブル長さ調整装置では、インナケーブルと連結部材との長さを凹凸のピッチ毎でしか調整できない。
本発明は、上記のような問題点に着目してなされたものであり、インナケーブルと連結部材との長さを無段階に調整することができ、且つ長さの調整が容易で高精度なコントロールケーブル長さ調整装置を提供することを目的とするものである。
【課題を解決するための手段】
【０００５】
上記課題を解決するために、発明の実施態様は、アウタケーブル内にインナケーブルが収納されたコントロールケーブル長さ調整装置であって、インナケーブルの長手方向端部に取り付けられるスライダと、前記スライダに形成され前記インナケーブルの延長方向に延び且つ開口側から底側に向かうに連れてお互いの間隔が狭くなる一対の傾斜面を有する溝と、前記スライダの溝に収納される先細りの断面を形成する一対の傾斜面を有するロックピースと、前記インナケーブルの延長方向に延びて前記スライダをスライド可能に収納する第１穴部、前記第１穴部に連通するように形成され前記ロックピースが挿入される第２穴部、前記第１穴部に対して前記インナケーブルと反対側に配置される連結部材を備えたホルダとを備え、前記ホルダの第１穴部にスライダを収納し前記ホルダの第２穴部にロックピースを挿入し前記スライダの溝の傾斜面にロックピースの傾斜面を接触させて当該溝内にロックピースを収納した場合に当該溝の傾斜面とロックピースの傾斜面との間に生じる摩擦力によってホルダ内のスライダの位置を固定するコントロールケーブル長さ調整装置である。
【０００６】
また、前記ホルダに設けられヒンジ部を中心に回転する梃子状のクランプと、前記クランプに設けられ前記ホルダに掛けて止める爪部と、前記クランプのヒンジ部と爪部との間に設けられ前記ロックピースをスライダの溝内に押し込む押し込み部とを備えたコントロールケーブル長さ調整装置である。
【０００７】
また、前記ロックピースは前記クランプにロックピース用ヒンジを介して取付けられたコントロールケーブル長さ調整装置である。
また、少なくとも前記連結部材と反対側の第２穴部の縁部に形成され前記スライダの溝内に収納されたロックピースのインナケーブル延長方向と直交する面が接触する堰部を備えたコントロールケーブル長さ調整装置である。
【発明の効果】
【０００８】
而して、発明の実施態様によれば、インナケーブルの長手方向端部に取り付けられたスライダをホルダの第１穴部内に収納し、先細りの断面を形成する一対の傾斜面を有するロックピースを第１穴部に開口する第２穴部に挿入し、ロックピースの傾斜面をスライダの底細りの溝を構成する傾斜面に接触させて当該ロックピースを溝内に収納すると、溝の傾斜面とロックピースの傾斜面との間に生じる摩擦力によってホルダ内のスライダの位置が固定される。そのため、スライダを第１穴部内でスライドしてからロックピースを溝内に収納すれば、ホルダのインナケーブルと反対側の端部に設けられた連結部材とインナケーブルとの距離、即ちインナケーブルの長さを調整することができる。従って、インナケーブルと連結部材との長さを無段階に調整することができ、しかも長さの調整は容易で且つ高精度なものとなる。
【０００９】
また、ホルダに設けられた梃子状のクランプを回転すると、クランプのヒンジ部と爪部との間の押し込み部がロックピースをスライダの溝内に押し込み、そのままクランプに設けられている爪部をホルダに掛けて止めれば、ロックピースをスライダの溝内に容易に押し込むことができると共に、ホルダに掛けて止めたクランプがロックピースの抜け止めとなる。
【００１０】
また、ロックピースがロックピース用ヒンジを介してクランプに取付けられているので、少なくともホルダとロックピースが一体となり、扱いやすい。
また、スライダの溝内に収納されたロックピースのインナケーブル延長方向と直交する面が、少なくとも連結部材と反対側の第２穴部の縁部に形成された堰部に接触するので、より一層、スライダをホルダ内に固定することができる。
【図面の簡単な説明】
【００１１】
【図１】本発明のコントロールケーブル長さ調整装置の一実施形態を示す斜視図である。
【図２】図１のコントロールケーブル長さ調整装置の平面図である。
【図３】図１のコントロールケーブル長さ調整装置の使用方法の説明図である。
【図４】図１のコントロールケーブル長さ調整装置に作用する力の説明図である。
【発明を実施するための形態】
【００１２】
次に、本発明のコントロールケーブル長さ調整装置の一実施形態について図面を参照しながら説明する。
図１は、本実施形態のコントロールケーブル長さ調整装置の斜視図であり、図１ａはインナケーブルを固定する前の状態、図１ｂはインナケーブルを固定した状態を夫々示す。図２は、図１のコントロールケーブル長さ調整装置の平面図であり、図２ａはインナケーブルを固定する前の状態、図２ｂはインナケーブルを固定した状態を夫々示す。図３は、図１のコントロールケーブル長さ調整装置の使用方法の説明図であり、図３ａはインナケーブルを固定する前の状態を示すケーブル長手方向直交縦断面図、図３ｂはインナケーブルを固定している途中の状態を示すケーブル長手方向直交縦断面図、図３ｃはインナケーブルを固定した状態を示すケーブル長手方向直交縦断面図である。
【００１３】
図中の符号１は、例えば自動変速機のセレクタなどの連結対象体に連結されるコントロールケーブルであり、主として変速ケースやセレクタ本体への取付けを目的とするアウタケーブル２（図２ａ参照）にインナケーブル３が長手方向にスライド自在に内装されて構成される。本実施形態のコントロールケーブル長さ調整装置は、セレクタのレバーなどの連結対象体に実質的に連結されるアイエンドなどの連結部材４とインナケーブル３の長手方向端部との距離（長さ）を調整することにより実質的なインナケーブル３の長さ（連結長さ）を調整するものである。
【００１４】
本実施形態のインナケーブル３の長手方向端部にはスライダ５が予め取付けられている。このスライダ５は、インナケーブル３の延長方向に長い例えば樹脂製の直方体であり、インナケーブル３の延長方向と平行な４つの面のうちの１面、図では上面に開口するように溝６が形成されている。この溝６は、インナケーブル３の延長方向に延び、開口側の幅が広く、底側の幅が狭い、底細りの台形断面であり、その両側の傾斜面７が後述するロックピースの傾斜面に緊密に接触するように、例えば図３ａの鉛直面に対して左右同じ傾斜角度になっている。なお、スライダ５はインナケーブル３と別体であってもよく、その場合には例えばスライダ５に設けられた加締め部とインナケーブル３の長手方向端部を加締めることなどによってスライダ５をインナケーブル３の長手方向端部に固定する。また、スライダ５のインナケーブル延長方向と直交する断面形状は方形に限らず、多角形や円形などであってもよいが、後述するホルダ内でのスライダ５のスライド操作やロックピースの溝への収納を考慮すると、方形が好ましい。
【００１５】
スライダ５はホルダ８の第１穴部９内にインナケーブル延長方向にスライド可能に収納される。アイエンドなどの連結部材４はホルダ８のインナケーブル３と反対側に設けられている。ホルダ８は、スライダ５より一回り大きい例えば樹脂製の直方体であり、インナケーブル延長方向に長い第１穴部９は、ホルダ８の前記連結部材４と反対側の面に開口し、スライダ５は、この開口部からインナケーブル３側を手前側にして第１穴部９内に収納される。第１穴部９はスライダ５をインナケーブル延長方向に十分にスライドさせる長さを有する。なお、図では、スライダ５の溝６は上方に開口するように第１穴部９内に収納されている。
【００１６】
第１穴部９内に収納されたスライダ５の溝６が対向するホルダ８の面、ここでは図の上面には、当該第１穴部９と交差するように第２穴部１０が形成されている。この第２穴部１０は、ロックピース１１を挿入してスライダ５の溝６内に押し込むための当該ロックピース１１の通路となる穴であり、従ってスライダ５が収納される第１穴部９に連通する必要がある。第２穴部１０は方形であり、インナケーブル延長方向両側には、ロックピース１１のインナケーブル延長方向と直交する面１４が接触する堰部１３が形成されている。つまり、第２穴部１０を通してスライダ５の溝６内にロックピース１１を収納すると、当該ロックピース１１のインナケーブル延長方向と直交する面１４が堰部１３に接触し、スライダ５のインナケーブル延長方向への移動が規制される。なお、この堰部１３は、少なくとも前記連結部材４と反対側の第２穴部１０の縁部に形成されている必要があり、第２穴部１０の連結部材４側の縁部に形成されていてもよい。また、本実施形態では、ホルダ８の上面のうち、第２穴部１０の隣接部分も開口しているが、こちらの開口部は開口していなくてもよい。
【００１７】
前記第２穴部１０が形成されているホルダ８の面、つまり図の上面の角隅部にはヒンジ部１５が設けられ、このヒンジ部１５を介してホルダ８にはＬ字状のクランプ１６が設けられている。従って、クランプ１６はヒンジ部１５を中心として図３ｂの矢印方向（図の時計回り方向）、つまりクランプ１６が第２穴部１０を覆う方向に回転する。つまり、クランプ１６は梃子状である。そして、クランプ１６のヒンジ部１５と反対側の端部には、前記ヒンジ部１５と対角に位置するホルダ８の角隅部に掛けて止まる爪部１７が設けられている。また、クランプ１６のうち、ヒンジ部１５を中心としてクランプ１６を回転したとき、前記第２穴部１０を覆う部分には先端が平坦な凸状部からなる押し込み部１８が形成され、この押し込み部１８にロックピース１１が設けられている。このロックピース１１は、前記ヒンジ部１５側に設けられたロックピース用ヒンジ１９を介して回転可能に押し込み部１８に取付けられており、その結果、ロックピース１１は、前記ヒンジ部１５によるクランプ１６の回転方向と同方向、つまり図３ｂの時計回り方向に回転可能となっている。
【００１８】
ロックピース１１はインナケーブル延長方向に延び且つ先細りの台形断面であり、図３ａでは上方が幅狭で、下方が幅広になっており、その両側の傾斜面１２は前記溝６の傾斜面７と例えば鉛直面に対して同じ傾斜角度となっている。また、ロックピース１１のインナケーブル延長方向長さは、前記第２穴部１０の対向する堰部１３間の距離とほぼ同等となっている。なお、後述するように、溝６の傾斜面７とロックピース１１の傾斜面１２との間に生じる摩擦力でホルダ８内のスライダ５の位置を固定するように構成しているので、ロックピース１１の傾斜面１２は所謂楔をなし、従って例えば図３ａにおける傾斜面１２の鉛直面に対する傾斜角度、所謂頂角は比較的小さい。
【００１９】
このコントロールケーブル長さ調整装置を使用する際には、前述のようにインナケーブル３の長手方向端部に取付けられたスライダ５をホルダ８の第１穴部９に差し込み、当該第１穴部９内でスライダ５をインナケーブル延長方向にスライドさせてインナケーブル３の長手方向端部と連結部材４との距離、つまりインナケーブル３の実質的な連結長さを調整する。インナケーブル３の実質的な連結長さを調整したら、例えばクランプ１６を手指で押してヒンジ部１５を中心として回転させる。すると、図３ｂに示すように、ロックピース１１が自重で或いは第２穴部１０やスライダ５の溝６に接触してロックピース用ヒンジ１９を中心として回転し、ロックピース１１が第２穴部１０に挿入され、更に溝６に差し込まれる。その状態から更にクランプ１６を手指などで押すと、押し込み部１８によってロックピース１１がスライダ５の溝６に緊密に収納される。
【００２０】
更にクランプ１６を押すと爪部１７がホルダ８の角隅部に掛かって止まり、例えば図３ｃの状態が保持される。このとき、楔をなすロックピース１１の傾斜面１２とスライダ５の溝６の傾斜面７との間に摩擦力が生じ、スライダ５がホルダ８に固定される。また、ロックピース１１のインナケーブル延長方向と直交する面１４が第２穴部１０の堰部１３に接触し、スライダ５のインナケーブル延長方向への移動が規制される。それらの結果、インナケーブル３とホルダ８が固定され、インナケーブル３の実質的な連結長さ調整が完了する。
【００２１】
このとき、ロックピース１１やスライダ５に作用する力を図４に基づいて考察する。ここでは、ロックピース１１をスライダ５の溝６に押し込むときの必要押し込み力Ｐや傾斜面７、１２に生じる摩擦力Ｆを求めているが、一旦、ロックピース１１をスライダ５の溝６内に押し込んで、その状態をクランプ１６で維持している限り、傾斜面７、１２には全ての方向に同じ摩擦力Ｆが作用する。ここで、コントロールケーブル１をセレクタのレバーに連結し、セレクタの操作力が３０Ｎ、セレクタのレバー比、つまりセレクタの回転中心から操作部までの距離に対するセレクタの回転中心からコントロールケーブル連結点までの距離の比が１／２であるとすると、傾斜面７、１２間の摩擦力でロックピース１１とスライダ５が移動しないための摩擦力Ｆは６０Ｎとなる。
【００２２】
ロックピース１１の押し込み力をＰ、傾斜面７、１２に垂直な反力をＮ、楔頂角を２α、つまり傾斜面７、１２の例えば鉛直面に対する傾斜角度をα、摩擦係数をμとすると、図４に示す力には下記１式の関係が成立する。頂角２αや摩擦係数μを例えば下記表１のように設定すると、反力Ｎ、必要押し込み力Ｐは下記表２のように求められる。このように本実施形態のコントロールケーブル長さ調整装置では、比較的小さな押し込み力で、スライダ５がホルダ８に対して移動しない十分な摩擦力が得られる。
【００２３】
【数１】
2013019455.tif 000003
【００２４】
【表１】
2013019455.tif 000004
【００２５】
【表２】
2013019455.tif 000005
【００２６】
このように本実施形態のコントロールケーブル長さ調整装置では、インナケーブル３の長手方向端部に取り付けられたスライダ５をホルダ８の第１穴部９内に収納し、先細りの断面を形成する一対の傾斜面１２を有するロックピース１１を第１穴部９に開口する第２穴部１０に挿入し、ロックピース１１を溝６内に収納すると、溝６の傾斜面７とロックピース１１の傾斜面１２との間に生じる摩擦力によってホルダ８内のスライダ５の位置が固定される。そのため、スライダ５を第１穴部９内でスライドしてからロックピース１１を溝６内に収納すれば、ホルダ８のインナケーブル３と反対側に配置される連結部材４とインナケーブル３との距離、即ちインナケーブル３の長さを調整することができる。従って、インナケーブル３と連結部材４との長さを無段階に調整することができ、しかも長さの調整は容易で且つ高精度なものとなる。
【００２７】
また、ホルダ８に設けられた梃子状のクランプ１６を回転すると、クランプ１６のヒンジ部１５と爪部１７との間の押し込み部１８がロックピース１１をスライダ５の溝６内に押し込み、そのままクランプ１６に設けられている爪部１７をホルダ８に掛けて止めれば、ロックピース１１をスライダ５の溝６内に容易に押し込むことができると共に、ホルダ８に掛けて止めたクランプ１６がロックピース１１の抜け止めとなる。
【００２８】
また、ロックピース１１がロックピース用ヒンジ１９を介してクランプ１６に取付けられているので、少なくともホルダ８とロックピース１１が一体となり、扱いやすい。
また、スライダ５の溝６内に収納されたロックピース１１のインナケーブル延長方向と直交する面１４が、少なくとも連結部材４と反対側の第２穴部１０の縁部に形成された堰部１３に接触するので、より一層、スライダ５をホルダ８内に固定することができる。
【符号の説明】
【００２９】
１はコントロールケーブル
２はアウタケーブル
３はインナケーブル
４は連結部材
５はスライダ
６は溝
７は傾斜面
８はホルダ
９は第１穴部
１０は第２穴部
１１はロックピース
１２は傾斜面
１３は堰部
１４は面
１５はヒンジ部
１６はクランプ
１７は爪部
１８は押し込み部
１９はロックピース用ヒンジ
【図１】
2013019455.tif 000006
【図２】
2013019455.tif 000007
【図３】
2013019455.tif 000008
【図４】
2013019455.tif 000009